(57)【特許請求の範囲】
【請求項１】
たて糸とよこ糸により織成されると共にシートを接合するための細幅織部分と、該細幅織部分の片側縁に上記よこ糸により形成される芯材抱持部と、該芯材抱持部内に挿設されるロープ、組み紐、その他の繊維束、ケーブル、棒材等の円形の芯材から構成されることを特徴とするシート取付用織物。
【発明の詳細な説明】
【０００１】
【発明の属する技術分野】
本発明は、シート（膜材）を建築物・構造物・立木・杭等の固定物に取り付けたり、シート同士を連結するためのシート取付用織物に関する。
【０００２】
【従来の技術】
この種の従来のシート取付用織物としては、たて糸とよこ糸により細幅織部分を織成し、該細幅織部分の片側縁に上記たて糸とよこ糸により芯材抱持部を織成して、該芯材抱持部に芯材を挿設するものがあった。
【０００３】
しかしながら、上記従来の織物の場合、たて糸と同じ太さの原糸を引き揃えて上記芯材抱持部に挿設して芯材としていたので、芯材抱持部が扁平になってしまって単なる補強された耳部でしかなく、その結果、シート取付用織物として用途が限られていた。
【０００４】
【発明が解決しようとする課題】
本発明は、上記従来の問題点を解決するためになされたもので、その目的とするところは、ロープ、組み紐、その他の繊維束、ケーブル、棒材等の円形の芯材を使用する事により、芯材抱持部を立体的な膨らみを有する円形に近い耳部として構成し、広範囲な用途に適用することが可能なシート取付用織物を提供することにある。
【０００５】
【課題を解決するための手段】
本発明のシート取付用織物は、たて糸とよこ糸により織成されると共にシートを接合するための細幅織部分と、該細幅織部分の片側縁に上記よこ糸により形成される芯材抱持部と、該芯材抱持部内に挿設されるロープ、組み紐、その他の繊維束、ケーブル、棒材等の円形の芯材から構成されることを特徴とする。
【０００６】
【発明の実施の態様】
以下、本発明の実施例について図面を参照しながら説明する。図１は本発明のシート取付用織物の１実施例を示すもので、該シート取付用織物Ｔは、細幅織部分１と、芯材抱持部２と、芯材３から構成される。
【０００７】
上記細幅織部分１は、たて糸１ａとよこ糸１ｂによる織物組織となっている。織物組織は、平織、斜文織、朱子織、これらの組合せ織などいずれでもよい。
【０００８】
上記細幅織部分１の一部または全部には、シート（図示せず）が重ねた状態で接合される。シートの材質や構成は、合成樹脂製シート、布など所要の柔軟性と強度を有する膜材であればいずれでもよい。また接合手段としては、接着材による接着、熱溶融による溶着、縫着等いずれの手段であってもよい。上記細幅織部分１をシートと熱溶融性シートの間に挟んだ状態で溶着する場合には、該細幅織部分１の接合部分の織目を粗く（メッシュ状）して、その隙間に上記熱溶融性シートを溶融・侵入せしめるように構成するのが好ましい。
【０００９】
上記細幅織部分１の長手方向に沿った片側縁には、総ての或いは任意に選択されたよこ糸１ｂをループ状に形成した芯材抱持部２が設けられている。該芯材抱持部２内には、芯材３が挿入されている。該芯材３としては、ロープ、組み紐、その他の繊維束、ケーブル、棒材等の円形の材料であれば、いずれでもよい。なお、上記芯材抱持部２による芯材３の挿入は、ニードル織機などにより上記細幅織部分１を織成する際に、上記片側縁において、上記よこ糸１ｂを芯材３に掛け回すことにより行われる。
【００１０】
上記細幅織部分１には、仮想線で示すように、必要に応じてハトメ４を設けて、結束紐（図示せず）等を通すことができる。この場合、少なくともハトメ４周囲の細幅織部分１を公知手段により補強してもよい。また、図２に示すように、上記細幅織部分１の一部のたて糸１ａを省いて、よこ糸１ｂを所定間隔で寄せ集めて、いわゆるラダー構造Ｒとすることにより、その隙間ｒを上記ハトメ４に代えて機能せしめてもよい。
【００１１】
図３は、上記シート取付用織物によるシート取付構造の第１の実施例を示すもので、シートＳの下端縁に上記シート取付用織物Ｔが一体的に接合されている。該シート取付用織物Ｔにはハトメ４が設けられている。５は例えばテント倉庫の軒桁フレーム５であって、上記シート取付用織物Ｔのハトメ４に掛挿されたレーシングロープ６が掛け回されていて、シートＳを引き寄せて固定している。
【００１２】
本発明の芯材抱持部２には、ロープ、組み紐、その他の繊維束、ケーブル、棒材等の円形の芯材３が挿設されているので、芯材抱持部２が立体的な膨らみを持っているため、該芯材抱持部２を確実かつ安定して把持することが可能となり、上記のようにハトメ４にレーシングロープ６を掛挿して軒桁フレーム５等に固定する代わりに、上記芯材抱持部２の適宜な把持固定手段により固定することができる。
【００１３】
図４は、上記シート取付用織物によるシート取付構造のまた別の実施例を示すもので、上記軒桁フレーム５と同じような軒桁フレーム７にスリット７ａを有する挿入孔７ｂを形成して、図４（Ａ）に示すように、この挿入孔７ｂに上記シート取付用織物Ｔの膨らみを有する芯材抱持部２を挿入して、シートＳを軒桁フレーム７に取付ける。
【００１４】
図５は、上記シート取付用織物によるシート取付構造のさらに別の実施例を示すもので、フランジ部８ａとそれから分岐した２枚のバーチカル部８ｂから構成される掛り布８の上記フランジ部８ａにシートＳを溶着等により接合すると共に、上記２枚のバーチカル部８ｂにシート取付用織物Ｔをそれぞれ接合し、細線で示すように、これらのシート取付用織物Ｔによりパイプ９を抱き込んで、そのハトメ４に結束紐１０を通して結束することにより、シートＳをパイプ９に取り付けるようになっている。なお、上記掛り布８は、例えば、特開平８−３３７９４０号公開公報に開示したような構造である。
【００１５】
【発明の効果】
１）たて糸とよこ糸により織成されると共にシートを接合するための細幅織部分と、該細幅織部分の片側縁に上記よこ糸により形成される芯材抱持部と、該芯材抱持部内に挿設される芯材から構成されるので、下記のような作用効果を奏することができる。
１）芯材の円形がよこ糸のみにより、円形に近い形に出来る。
２）耳部のよこ糸を熱する蒸気で収縮させる場合よこ糸のみの方が収縮が大きい為袋と芯材が密着する。その為に芯材と袋がずれにくい。  摩擦性の向上となる。
３）袋部分のよこ糸の打込みを荒くする事により芯材を見やすくし、芯材の色別となる。
【図面の簡単な説明】
【図１】本発明のシート取付用織物の一実施例を示す斜視図（Ａ）および断面図（Ｂ）である。
【図２】本発明のシート取付用織物の別の実施例を示す斜視図である。
【図３】本発明のシート取付用織物によるシート取付構造の実施例を示す断面図である。
【図４】本発明のシート取付用織物によるシート取付構造の別の実施例を示す説明図である。
【図５】本発明のシート取付用織物によるシート取付構造のまた別の実施例を示す説明図である。
１  細幅織部分
１ａ  たて糸
１ｂ  よこ糸
２  芯材抱持部
３  芯材
４  ハトメ
５  軒桁フレーム
６  レーシングロープ
７  軒桁フレーム
７ａ  スリット
７ｂ  挿入孔
８  掛り布
８ａ  フランジ部
８ｂ  バーチカル部
９  パイプ
１０  結束紐
Ｔ  シート取付用織物
【図１】
0004033982.tif 000002
【図２】
0004033982.tif 000003
【図３】
0004033982.tif 000004
【図４】
0004033982.tif 000005
【図５】
0004033982.tif 000006